(57)【要約】      （修正有）【課題】面状発熱ユニットを定型化することによって、面状発熱ユニットの大量生産化を可能とし、それを用いた安価な暖房器具を提供する。【解決手段】底板２３の上に断熱材１９を取りつけ、その上に面状発熱体２２を取りつけ、その上に表面を保護すると共に面状発熱体を低温の外気から保護すると共に、遠赤外線を均等に放射するための表面保護シート２１を設けてなる面状発熱ユニットの側面外周を包囲する枠板を設けてなる面状発熱ユニットの支持枠上面に、面状発熱ユニットを保護するために横棒が複数本設けられた蓋を設けた。この面状発熱ユニットを用いて、衝立、ベンチ、サウナ、膝ヒータ、足置きヒータ等の暖房器具を構成することができる。【選択図】図１
0003137885.tif 000002
【実用新案登録請求の範囲】
【請求項１】
底板の上に断熱材を取りつけ、その上に遠赤外線を前方に反射させるためのアルミ板またはアルミ箔を取り付け、その上に面状発熱体を取り付けたことを特徴とする面状発熱体ユニット。
【請求項２】
請求項１に記載の面状発熱体ユニットの表面に面状発熱体を低温の外気から保護すると共に遠赤外線を均等に放射するための表面保護シートを設けたことを特徴とする免状発熱体ユニット。
【請求項３】
請求項１または２に記載の面状発熱ユニットの側面外周を包囲する枠板を設けたことを特徴とする面状発熱ユニット。
【請求項４】
請求項３に記載の面状発熱ユニットの枠板上面に横棒が複数本設けられた蓋を設けたことを特徴とする面状発熱ユニット。
【請求項５】
前記横棒は、三角形状、半円形状または四角形状に形成されたことを特徴とする請求項４に記載の面状発熱ユニット。
【請求項６】
前記三角形状、半円形状に形成された横棒の表面に反射用箔を設けたことを特徴とする請求項５に記載の面状発熱ユニット。
【請求項７】
請求項１または２に記載の面状発熱ユニット全体を包囲する穴あき袋を被せたことを特徴とする暖房器具。
【請求項８】
請求項３に記載の前記面状発熱ユニットを複数個並べ、全ての枠板で形成された面上に格子状表面保護枠を取りつけて衝立を構成することを特徴とする暖房器具。
【請求項９】
請求項３に記載の前記面状発熱ユニットを複数個並べ、全ての枠板で形成された面上にすだれ状表面保護枠を取りつけて衝立を構成することを特徴とする暖房器具。
【請求項１０】
請求項４に記載の前記面状発熱ユニットを面状に複数個並べて衝立を構成することを特徴とする暖房器具。
【請求項１１】
請求項４乃至６のいずれかに記載の面状発熱ユニットをベンチの背面、座面、足のふくらはぎ部分の面に複数個並べたことを特徴とする暖房器具。
【請求項１２】
請求項４乃至６のいずれかに記載の面状発熱ユニットをサウナ内のベンチ背面、足のふくらはぎ部分の面、およびサウナ室の側面壁および／または前面壁に複数個並べたことを特徴とする暖房器具。
【請求項１３】
請求項１、２または７に記載の面状発熱ユニットを机の引き出しを支える下板の下面に複数個並べたことを特徴とする膝暖房器具。
【請求項１４】
請求項４乃至６のいずれかに記載の面状発熱ユニットを机の下の床面に置くことを特徴とする暖房器具。
【考案の詳細な説明】
【技術分野】
【０００１】
本考案は、面状発熱ユニットおよびそれを用いた暖房器具に関する。具体的には、本願の考案者等によって開発された面状発熱体（特許文献１，実用新案登録第３１１９４１号）を用いて単体のユニットを形成し、そのユニットを種々の暖房器具に適用するものである。
【背景技術】
【０００２】
まず、本願発明に用いられる面状発熱体２２について説明する。図１９は、特許文献１に開示された面状発熱体２２を示す図である。面状発熱体２２は、図１９に示すように、縦発熱体１２２と横発熱体１２１を所定間隔で網状に織り込んでなる面状発熱体であって、横発熱体１２１は、面状発熱体２２の縦の端に設けられた導電体１１６に接続される。この面状発熱体２２は、通電することで発熱し、温度が高くなると抵抗値が高くなり電流が減少し温度を一定に保つような特性を有する。この面状発熱体２２には、電極端子１３０から電源が供給される。
【０００３】
図２０は、従来の面状発熱体２２を構成する縦発熱体１２２と横発熱体１２１の詳細を示す図である。図２０（Ａ）は、横発熱体１２１と縦発熱体１２２が、それぞれ横繊維素材１１１および縦繊維素材１１５に導電性溶液を塗布することによって形成されている様子を示した図である。図２０（Ｂ）（Ｃ）は、それぞれ縦繊維素材１１１と縦繊維素材１１５に導電性溶液を塗布して、横発熱体１２１および縦発熱体１２２が構成されることを示す拡大図である。このように、縦繊維素材１１１と縦繊維素材１１５に導電性溶液を塗布し乾燥すると、横繊維素材１１１と縦繊維素材１１５の周囲には発熱体が塗布された横発熱体１２１および縦発熱体１２２が製造される。導電体１１６に接続された電極端子１３０に交流または直流の電源が供給されると、横発熱体１２１および縦発熱体１２２に電流が流れ、横発熱体１２１および縦発熱体１２２の温度が上昇する。
【０００４】
このように構成された面状発熱体２２は、特許文献１で詳細に述べているように、各発熱体層の不均一が生じても、局所的発熱が起こらないという特徴を有するものである。
【特許文献１】実用新案登録第３１１９４１号公報
【考案の開示】
【考案が解決しようとする課題】
【０００５】
上記のような面状発熱体２２は特性的には、消費電力が少なく、局所的な発熱が生じることがなく、理想的な発熱体である。しかしながら、このような面状発熱体を暖房器具に直接に取りつけるためには、面状発熱体を暖房器具に合わせて製作する必要があり、そのために種々の形状の面状発熱体を用意する必要があった。
【０００６】
本考案は、上述の課題に鑑み、定型化された面状発熱ユニットを用意しておくことによって、種々の暖房器具に面状発熱ユニット単位で取り付けが可能となることから、定型化された面状発熱ユニットを大量生産することによって安価な暖房器具を提供することを目的とする。
【課題を解決するための手段】
【０００７】
上述の課題を解決するために、本考案は、底板の上に断熱材を取りつけ、その上に遠赤外線を前方に反射させるためのアルミ板またはアルミ箔を取り付け、その上に面状発熱体を取り付けたことを特徴とする。
【０００８】
また、本考案は、面状発熱体ユニットの表面に面状発熱体を低温の外気から保護すると共に遠赤外線を均等に放射するための表面保護シートを設けたことを特徴とする。
【０００９】
また、本考案は、面状発熱ユニットの側面外周を包囲する枠板を設けたことを特徴とする。
【００１０】
また、本考案は、面状発熱ユニットの枠板上面に横棒が複数本設けられた蓋を設けたことを特徴とする。
【００１１】
好ましくは、横棒は、三角形状、半円形状に形成されたことを特徴とする。また、好ましくは、横棒の表面に反射用箔を設けたことを特徴とする。
【００１２】
また、好ましくは、面状発熱ユニット全体を包囲する穴あき袋を被せたことを特徴とする。
【００１３】
また、好ましくは、枠板付き面状発熱ユニットを複数個並べ、全ての枠板で形成された面上に格子状表面保護枠を取りつけて衝立を構成することを特徴とする。
【００１４】
また、好ましくは、枠板付き面状発熱ユニットを複数個並べ、全ての枠板で形成された面上にすだれ状表面保護枠を取りつけて衝立を構成することを特徴とする。
【００１５】
また、好ましくは、蓋付き面状発熱ユニットを面状に複数個並べて衝立を構成することを特徴とする。
【００１６】
また、好ましくは、蓋付き面状発熱ユニットをベンチの背面、座面、足のふくらはぎ部分の面に複数個並べたことを特徴とする。
【００１７】
また、好ましくは、蓋付き面状発熱ユニットをサウナ内のベンチ背面、足のふくらはぎ部分の面、およびサウナ室の側面壁および／または前面壁に複数個並べたことを特徴とする。
【００１８】
また、好ましくは、穴あき袋を被せた面状発熱ユニットを机の天板の下面に複数個並べたことを特徴とする。
【００１９】
また、好ましくは、蓋付き面状発熱ユニットを机の下の床面に置くことを特徴とする。
【考案の効果】
【００２０】
考案によれば、底板の上に断熱材を取りつけ、その上に遠赤外線を前方に反射させるためのアルミ板またはアルミ箔を取り付け、その上に面状発熱体を設けてユニットを構成するので、同じ規格の面状発熱ユニットを大量に製造することができ、同じ規格の面状発熱ユニットを種々の形状の暖房器具に用いることができる。
【００２１】
また、本考案によれば、面状発熱体ユニットの表面に表面保護シートを設けているので、面状発熱体を低温の外気から保護すると共に遠赤外線を均等に放射することができる。
【００２２】
また、本考案によれば、面状発熱ユニットの側面外周を包囲する枠板を設けているので、その枠板の上に表面保護枠を設置し面状発熱体を保護することができる。
【００２３】
また、本考案によれば、面状発熱ユニットの枠板上面に横棒が複数本設けられた蓋を設けたので、この蓋付き面状発熱体ユニットを１つまたは複数並べて暖房器具とすることによって、特別の保護枠を設けることなく、面状発熱体を保護することができる。
【００２４】
本考案によれば、横棒は、三角形状、半円形状に形成されるので、面状発熱体から放射される遠赤外線を効率よく取り出すことができる。またさらに、横棒の表面に反射用箔を設けたことによって、面状発熱体から放射される遠赤外線をさらに効率よく取り出すことができる。
【００２５】
また、本考案によれば、面状発熱ユニット全体を包囲する穴あき袋を被せたので、可撓性がある柔らかな面状発熱体ユニットを提供することができる。
【００２６】
また、本考案によれば、枠板付き面状発熱ユニットを複数個並べ、全ての枠板で形成された面上に格子状表面保護枠を取りつけて衝立を構成するようにしたので、遠赤外線を放射する衝立を提供することができる。
【００２７】
また、本考案によれば、枠板付き面状発熱ユニットを複数個並べ、全ての枠板で形成された面上にすだれ状表面保護枠を取りつけて衝立を構成するようにしたので、このすだれ状表面保護枠を開閉することによって、衝立から放射される遠赤外線の量を容易に制御できる。
【００２８】
また、本考案によれば、蓋付き面状発熱ユニットを面状に複数個並べ、衝立を構成するようにしたので、衝立から遠赤外線を放射させることができる。
【００２９】
また、本考案によれば、蓋付き面状発熱ユニットをベンチの背面、座面、足のふくらはぎ部分の面に複数個並べたので、遠赤外線を放射するベンチを提供することができる。
【００３０】
また、本考案によれば、蓋付き面状発熱ユニットをサウナ内のベンチ背面、足のふくらはぎ部分の面、およびサウナ室の側面壁および／または前面壁に複数個並べたので、安全で電力効率の良いサウナを提供することができる。
【００３１】
また、本考案によれば、穴あき袋を被せた面状発熱ユニットを机の天板の下面に複数個並べるようにしたので、効率よく膝を暖めることができる膝暖房器具を提供することができる。
【００３２】
また、本考案によれば、蓋付き面状発熱ユニットを机の下の床面に置くようにしたので、効率よく足を暖めることができる足暖房器具を提供することができる。
【考案を実施するための最良の形態】
【００３３】
実施形態１．
以下、本考案の実施の形態について図面を参照しながら説明する。図１は、本考案の第１実施形態の面状発熱ユニットを示すものである。図１（Ａ）、（Ｂ）において、面状発熱ユニット１は、木材やプラスチック等で形成された底板２３の上に断熱材１９を接着剤等で取りつけ、その上にアルミ板またはアルミ箔で構成され遠赤外線を前方に反射させるための反射板１８を取りつけ、その上に面状発熱体２２を接着剤等で取りつけて製造される。面状発熱ユニット１の全体形状は一般には四角形が好ましいが三角形や６角形等で形成しても良い。
【００３４】
ここで、底板２３は、ユニットとしての基板を形成するものであり、木材等の固形のものを用いてもよく、プラスチック等の可撓性の材料を用いても良い。断熱材１９は、その上に載せる面状発熱体２２の熱が外部に漏れるのを防ぐためのものである。反射板１８はアルミ板またはアルミ箔で構成され、遠赤外線を前方に反射させるためのものである。面状発熱体２２は本考案者等が考案した従来技術の可撓性発熱体を使用する。この面状発熱ユニット１は、繊維素材に導電性溶液を塗布又は含浸させて形成されたもので、薄型、軽量で、自由に折り曲げることができるものである。均熱板は、熱を分散させて、面状発熱体２２が局部発熱による異常を起こすことを回避するためのものである。
【００３５】
このように構成された面状発熱ユニット１は、表面保護シート２１の表面が４０゜C〜５０゜Cとなり、その表面から遠赤外線が放射される。面状発熱体２２は可撓性を有するので、底板２３に可撓性を有する材料を用いれば、図１に示めされる面状発熱ユニット１は可撓性のある面状発熱ユニットとなる。また、底板２３に剛性を有する材料を用いれば、図１に示される面状発熱ユニット１は剛性を有する面状発熱ユニットとなる。
【００３６】
なお、外部気温が低く、面状発熱体の発生する熱が気温により急速に奪われるような怖れがある場合には、さらに細かな穴が開いたプラスチックなどの表面保護シート２１を面状発熱体の上に接着剤等で取り付けて製造してもよい。このような表面保護シート２１をさらに面状発熱体２２の上に取りつけた構造の面状発熱ユニットを図１（Ｃ）に示す。
【００３７】
実施形態２．
図２は実施形態２の面状発熱ユニットを示す図である。実施形態２の面状発熱ユニット２は、図１に示される実施形態１の面状発熱ユニット１の四方の側面に枠板２４を設けたものである。
【００３８】
枠板２４は、面状発熱ユニット１の厚さよりも少し厚くし、面状発熱ユニット１の四方を取り巻くように設置される。面状発熱ユニット１と枠板２４は接着剤によって接着される。
【００３９】
この枠板２４は面状発熱ユニット１の外径を固定すると共に、枠板２４の上面に後に説明する表面保護枠２０（図４）や格子状表面保護枠３０（図１２）を設けたりすることによって、上からの圧力が面状発熱ユニット１に直接加わることがなくなるので、面状発熱ユニット１が破壊されるのを防止できる。
【００４０】
図２（Ｃ）においては、表面保護シート２１が示されるが、外部気温が低く、面状発熱体の発生する熱が気温により急速に奪われるような怖れがある場合等に用いられるものであり、外気温が面状発熱ユニット１の表面温度と比べてそんなに低くないときには表面保護シート２１は不要である。
【００４１】
実施形態３．
図３は実施形態３の面状発熱ユニットを示す図である。実施形態３の面状発熱ユニット３は、図２に示される実施形態２の面状発熱ユニット２の枠板２４の上面に表面保護枠２０を接着したものである。図４は、横棒で構成される表面保護枠を有する面状発熱ユニットの外観斜視図である。
【００４２】
表面保護枠２０は枠板２４と同じ外径の枠板枠板２９の２つの端に凹部を設けその凹部の中に横棒２６を挿入して固定したものである。横棒２６は人が上から乗っても曲がったり折れたりしない程度の強度を有するもので、主に木材やプラスチック等で構成される。
【００４３】
この表面保護枠２０は面状発熱ユニット２の上面に取りつけられ、表面保護枠２０の上から加えられる圧力から面状発熱ユニット１の破壊を防止するものである。面状発熱ユニット３は上からの圧力に対する強度が強いので、上から人が乗ったり、人が寄りかかったりするような場所に用いられる。
【００４４】
図３（Ｃ）においては、表面保護シート２１が示されるが、外部気温が低く、面状発熱体の発生する熱が気温により急速に奪われるような怖れがある場合等に用いられるものであり、外気温が面状発熱ユニット１の表面温度と比べてそんなに低くないときには表面保護シート２１は不要である。
【００４５】
図５は、表面保護枠２０に用いられる横棒の形状を示す図である。図５（Ａ）は、横棒２６が半円形の場合を示す。また、図５（Ｂ）は、横棒２６が三角形の場合を示す。強度的に見れば半円の方の強度が強いが、後で述べる遠赤外線の放射の点から考えると三角形の方が多少有利である。なお、上記では半円形および２等辺三角形が描かれているが、図５（Ｃ）のように、円の一部が欠けた形状としてもよい。
【００４６】
図６は、図５に示す横棒の下方部（面状発熱体２２に対向する面）に反射板を設けた図である。図６（Ａ）は、横棒２６が半円形の場合を示し、半円の下方部に反射板２８が貼り付けられた様子を示す。また、図６（Ｂ）は、横棒２６が三角形の場合を示し、三角形の下方部に反射板２８が貼り付けられた様子を示す。
【００４７】
図７は、図５（Ａ）に示す半円形の横棒２６を枠板２５と共に面状発熱ユニット１の上部に置いたときに、表面保護シート２１から放射される遠赤外線３７の進む方向を矢印で示したものである。横棒２６が真上にない表面保護シート２１部分から放射される遠赤外線３７は真上に向かって進むことができる。一方、横棒２６の真下付近にある表面保護シート２１部分から放射される遠赤外線３７は横棒２６でブロックされて上方に出て行くことができないが、斜めの方向には進むことができる。このようにして、遠赤外線３７は一分が横棒２６によってブロックされるが半分以上は横棒２６と横棒２６の間から上方に放射される。横棒２６によってブロックされた遠赤外線３７は横棒２６を暖め、横棒２６に座ったり触れたりするときには横棒２６が暖かく感じられる。
【００４８】
図８は、図５（Ｂ）に示す半円形の横棒２６を枠板２５と共に面状発熱ユニット１の上部に置いたときに、表面保護シート２１から放射される遠赤外線３７の進む方向を矢印で示したものである。横棒２６が真上にない表面保護シート２１部分から放射される遠赤外線３７は真上に向かって進むことができる。一方、横棒２６の真下付近にある表面保護シート２１部分から放射される遠赤外線３７は横棒２６でブロックされて上方に出て行くことができないが、斜めの方向には進むことができる。このようにして、遠赤外線３７は一部が横棒２６によってブロックされるが半分以上は横棒２６間から上方に放射される。横棒２６によってブロックされた遠赤外線３７は横棒２６を暖め、横棒２６に座ったり触れたりするときには横棒２６が暖かく感じられる。なお、図８の場合には、横棒２６の形状が二等辺三角形であるので、図７の半円のときと比べると、斜めに進む遠赤外線３７が多くなり、遠赤外線３７を有効に取り出すことができる。
【００４９】
図９は、図６（Ａ）に示す半円形の反射板２８を取りつけた半円形の横棒２６を枠板２５と共に面状発熱ユニット１の上部に置いたときに、表面保護シート２１から放射される遠赤外線３７の進む方向を矢印で示したものである。横棒２６が反射板２８の真上にない表面保護シート２１部分から放射される遠赤外線３７は真上に向かって進むことができる。一方、反射板２８の真下付近にある表面保護シート２１部分から放射される遠赤外線３７は反射板２８でブロックされて上方に出て行くことができないが、斜めの方向には進むことができる。一方、反射板２８で反射した遠赤外線３７は表面保護シート２１で再度反射されその一部は横棒２６間から上方に放射される。反射板２８を設けた場合には、図７に示した場合よりも遠赤外線３７を有効に取り出すことができる。
【００５０】
図１０は、図６（Ｂ）に示す三角形の反射板２８を取りつけた三角形の横棒２６を枠板２５と共に面状発熱ユニット１の上部に置いたときに、表面保護シート２１から放射される遠赤外線３７の進む方向を矢印で示したものである。横棒２６が真上にない表面保護シート２１部分から放射される遠赤外線３７は真上に向かって進むことができる。一方、反射板２８の真下付近にある表面保護シート２１部分から放射される遠赤外線３７は反射板２８でブロックされて上方に出て行くことができないが、斜めの方向には進むことができる。一方、反射板２８で反射した遠赤外線３７は表面保護シート２１で再度反射されその一部は横棒２６間から上方に放射される。反射板２８を設けた場合には、図８に示した場合よりも遠赤外線３７を有効に取り出すことができる。
【００５１】
実施形態３．
図１１は、面状発熱ユニット１にその全体を包囲する穴あき袋を被せた本考案の実施形態３の暖房器具を示す図である。図１１（A）は、穴あき袋５の内部に面状発熱ユニット１を挿入した図である。図１１（Ａ）においては、面状発熱ユニット１は穴あき袋５で覆われているが、穴あき袋５の表面に穴３６があいているので遠赤外線３７は穴３６を介して放射される。図１１（Ｂ）は、穴あき袋５を示す図である。図１１（Ｂ）においては、穴あき袋５の一方の面に穴３６があけられ、この穴３６が面状発熱ユニット１の表面保護シート２１側に来るようにする。穴あき袋５は、布でも良く、プラスチック等の合成繊維でも良い。面状発熱ユニット１の温度は体温よりも少し暖かい４０゜Ｃ程度であるので、穴あき袋５の表面でやけどをすることはない。図１１に示す暖房器具は、座布団に使用したり、後述するように机の引き出しの下等に貼り付けて、膝を暖める暖房器具等として使用できる。
【００５２】
実施形態４．
図１２は、図２に示す複数の面状発熱ユニット２を衝立６の支持枠３１内に複数個並べ、面状発熱体ユニット２の全枠板２４で形成された面の上に格子状表面保護枠３０を取りつけた本考案の実施形態４の暖房器具を示す図である。図１２（Ａ）は、本考案の実施形態４の暖房器具を組み立てる順序を示す図であり、図１２（Ｂ）は、本考案の実施形態４の完成された暖房器具を示す図である。図１２（Ａ）、（Ｂ）において、衝立６は四方が支持枠３１で囲まれて構成され、その下部支持枠３１は足３２で支持される。支持枠３１内に面状発熱ユニット２が複数個取りつけられ（図１２では６個）、面状発熱ユニット２の複数の枠板２４で構成される面上に格子状表面保護枠３０が取りつけられる。
【００５３】
図１２のように、格子状表面保護枠３０を用いる場合には、外部の力は格子状表面保護枠３０にかかり、面状発熱体２２に外部の力が直接加わることはない。格子状表面保護枠３０を取りつけると、面状発熱体２２から放射される遠赤外線は、一部は格子状表面保護枠３０の格子を暖めて熱に変わるが、大部分は格子状表面保護枠３０の各格子間から外部に放射され、外部の物体を暖めることができる。
【００５４】
実施形態５．
図１３は、図２に示す複数の面状発熱ユニット２を衝立６の支持枠３１内に複数個並べ、面状発熱体ユニット２の全枠板２４で形成された面の上にすだれ状表面保護枠３４を取りつけた本考案の実施形態５の暖房器具を示す図である。図１３（Ａ）は、本考案の実施形態５の暖房器具を組み立てる順序を示す図であり、図１３（Ｂ）は、本考案の実施形態５の完成された暖房器具を示す図である。図１３（Ａ）、（Ｂ）において、衝立６は四方が支持枠３１で囲まれて構成され、その下部支持枠３１は足３２で支持される。支持枠３１内に面状発熱ユニット２が複数個取りつけられ、面状発熱ユニット２の複数の枠板２４で構成される面上にすだれ状表面保護枠３４が取りつけられる。このすだれ状表面保護枠３４は、複数の板が斜めに設置され、開閉紐３５によって斜めに設置された複数の板を同時に開閉できるように構成される。
【００５５】
図１３のように、すだれ状表面保護枠３４を用いる場合には、外部の力はすだれ状表面保護枠３４にかかり、面状発熱体２２に外部の力が直接加わることはない。すだれ状表面保護枠３４を取りつけて開閉紐３５によって複数の板を同時に開にすると、面状発熱体２２から放射される遠赤外線は、すだれを一部はすだれ状表面保護枠３４の板を暖めて熱に変わるが、かなりの部分はすだれ状表面保護枠３４の板の間から外部に放射され、外部の物体を暖めることができる。一方、すだれ状表面保護枠３４を取りつけて開閉紐３５によって複数の板を同時に閉にすると、面状発熱体２２から放射される遠赤外線は、ほとんどがすだれ状表面保護枠３４の板を暖めて熱に変わり、すだれ状表面保護枠３４の板の間から外部に放射される遠赤外線はなくなり、外部の物体を暖めることはできなくなる。このようにすだれ状表面保護枠３４を用いて、開閉紐３５ですだれ状表面保護枠３４の板の向きを制御することによって、物体に放射される遠赤外線の量を制御できる。
【００５６】
実施形態６．
図１４は、図４に示す複数の面状発熱ユニット３を衝立７の支持枠３１内に複数個並べ、面状発熱体ユニット３を複数個並べた本考案の実施形態６の暖房器具を示す図である。図１４（Ａ）は、本考案の実施形態６の暖房器具を組み立てる順序を示す図であり、図１４（Ｂ）は、本考案の実施形態６の完成された暖房器具を示す図である。図１４（Ａ）、（Ｂ）において、衝立７は四方が支持枠３１で囲まれて構成され、その下部支持枠３１は足３２で支持される。その枠支持枠３１内に面状発熱ユニット３が複数個取りつけられる（図１４では６個）。
【００５７】
図１４のように、面状発熱ユニット３を複数個用いる場合には、外部の力は面状発熱ユニット３の表面保護枠２０にかかり外部の力が面状発熱体２２に直接加わることはない。このような衝立７を用いると、面状発熱ユニット３の表面に外力がかかっても面状発熱ユニット３の表面保護枠２０で外力を阻止できるので、面状発熱体２２に外部の力が直接加わることはない。面状発熱ユニット３は同じ大きさのものが大量生産できるので、このタイプの衝立７は経済的に生産できる。図３または図４でも述べたように、表面保護枠２０を取りつけると、面状発熱体２２から放射される遠赤外線は、一部は表面保護枠２０の横棒２６を暖めて熱に変わるが、大部分は表面保護枠２０の横棒２６の間から外部に放射され、外部の物体を暖めることができる。
【００５８】
実施形態７．
図１５は、ベンチの背面、座面、足のふくらはぎに面した面に、面状発熱ユニット３を複数個並べた本考案の実施形態７の暖房器具を示す図である。図１５において、ベンチ８は背面、座面、足のふくらはぎに面した面に面状発熱ユニット３を複数個並べてある。ベンチ８に用いる面状発熱ユニットには外力がかかるので、図３または図４に示すように表面保護枠２０が設けられた面状発熱ユニット３を用いる。
【００５９】
図１５のように、面状発熱ユニット３を複数個用いる場合には、外部の力は面状発熱ユニット３の表面保護枠２０で保護され面状発熱体２２に外部の力が直接加わることはない。このようなベンチ８を用いると、面状発熱ユニット３の表面に外力がかかっても面状発熱ユニット３の表面保護枠２０で外力を阻止できるので、面状発熱体２２に外部の力が直接加わることはない。面状発熱ユニット３は同じ大きさのものが大量生産できるので、このタイプのベンチ８は経済的に生産できる。図３または図４でも述べたように、表面保護枠２０を取りつけると、面状発熱体２２から放射される遠赤外線は、一部は表面保護枠２０の横棒２６を暖めて熱に変わるが、大部分は表面保護枠２０の横棒２６の間から外部に放射され、外部の物体を暖めることができる。
【００６０】
実施形態８．
図１６は、サウナ内のベンチ背面３８、足のふくらはぎに面した縦面３９、およびサウナ室の側面壁４０に前記面状発熱ユニット３を複数個並べた本考案の実施形態８の暖房器具を示す図である。図示はされていないが、面状発熱ユニット３をサウナ室の前面壁に複数個並べてもよい。また、ベンチ座面４１にも面状発熱ユニット３を並べてもよい。ベンチ座面４１にも面状発熱ユニット３を並べると、体全体がさらに暖まるようにすることができる。サウナ内のベンチ８に用いる面状発熱ユニットには外力がかかるので、図３に示すように表面保護枠２０が設けられた面状発熱ユニット３を用いる。
【００６１】
図１６のように、面状発熱ユニット３を複数個用いる場合には、外部の力は面状発熱ユニット３の表面保護枠２０で保護され面状発熱体２２に外部の力が直接加わることはない。面状発熱ユニット３をベンチに用いると、面状発熱ユニット３の表面に外力がかかっても表面保護枠２０で外力を阻止できるので、面状発熱体２２に外部の力が直接加わることはない。面状発熱ユニット３は同じ大きさのものが大量生産できるので、このタイプのベンチ８は経済的に生産できる。また、面状発熱体そのものの電力消費量がニクロム線型の発熱体と比べると、表皮電力を約２／３にできる。図３でも述べたように、表面保護枠２０を取りつけると、面状発熱体２２から放射される遠赤外線は、一部は表面保護枠２０の横棒２６を暖めて熱に変わるが、大部分は表面保護枠２０の横棒２６の間から外部に放射され、外部の物体を暖めることができる。
【００６２】
実施形態９．
図１７は、机の引き出し１２を支える下板１３の下面に面状発熱ユニットを１個または複数個並べた本考案の実施形態９の暖房器具を示す図である。図１７（Ａ）は、本考案の実施形態９の暖房器具を机の引き出し１２を支える下板１３の下面に取り付けた様子を斜め上から見た状態を点線で示した図である。図１７（Ｂ）は、本考案の実施形態９の暖房器具を机の引き出し１２を支える下板１３の下面に取り付けた様子を側板を外して側面から見た状態を示した図である。図１７において、膝ヒータ１０は、図１に示す面状発熱ユニット１や、図１１に示すように穴あき袋５を被せた面状発熱ユニット１が主に用いられる。この場合には、図１１で述べたように、穴あき袋５は穴があいた方が下になり、穴から放射される遠赤外線が足の膝に放射される。膝ヒータ１０は机の引き出し１２を支える下板１３の下面に取り付けられ外部からの力は加わらないので、図２に示した面状発熱ユニット２や、図３，図４に示した面状発熱ユニット３を用いる必要はない。
【００６３】
実施形態１０．
図１８は、机の下の床面４２に面状発熱ユニット３を用いた本考案の実施形態１０の暖房器具を示す図である。図１８（Ａ）は、本考案の実施形態１０の暖房器具を机の下の床面４２に置いた様子を斜め上から見た状態を示した図である。図１８（Ｂ）は、本考案の実施形態１０の暖房器具を机の下の床面４２に置いた様子を側板を外して側面から見た状態を示した図である。図１８において、足置きヒータ１１に用いる面状発熱ユニットには外力がかかるので、図３に示すように表面保護枠２０が設けられた面状発熱ユニット３を用いる。
【００６４】
図１８のように、面状発熱ユニット３を足置きヒータ１１として用いる場合には、外部の力は面状発熱ユニット３の表面保護枠２０で保護され面状発熱体２２に外部の力が直接加わることはない。図３または図４でも述べたように、表面保護枠２０を取りつけると、面状発熱体２２から放射される遠赤外線は、一部は表面保護枠２０の横棒２６を暖めて熱に変わるが、大部分は表面保護枠２０の横棒２６の間から外部に放射され、足置きヒータ１１の上の足の部分を暖めることができる。
【産業上の利用可能性】
【００６５】
本考案は、通電することで発熱し、温度が高くなると抵抗値が高くなり電流が減少し温度を一定に保つような特性を有する面状発熱体を用いて構成される面状発熱ユニットおよびそれを用いた種々の暖房器具に適用可能である。
【図面の簡単な説明】
【００６６】
【図１】本考案の第１の実施の形態のブロック図である。
【図２】本考案の実施形態２の面状発熱ユニットを示す図である。
【図３】本考案の実施形態３の面状発熱ユニットを示す図である。
【図４】横棒で構成される表面保護枠を有する本考案の実施形態３の面状発熱ユニットの外観斜視図である。
【図５】本考案の実施形態３の面状発熱ユニットの表面保護枠に用いられる横棒の形状を示す図である。
【図６】本考案の実施形態３の面状発熱ユニットの表面保護枠に用いられる横棒の下方部に反射板を設けた図である。
【図７】図５（Ａ）に示す半円形の横棒を枠板と共に面状発熱ユニットの上部に置いたときに、表面保護シートから放射される遠赤外線の進む方向を矢印で示したものである。
【図８】図５（Ｂ）に示す半円形の横棒を枠板と共に面状発熱ユニットの上部に置いたときに、表面保護シートから放射される遠赤外線の進む方向を矢印で示したものである。
【図９】図６（Ａ）に示す半円形の反射板を取りつけた半円形の横棒を枠板と共に面状発熱ユニットの上部に置いたときに、表面保護シートから放射される遠赤外線の進む方向を矢印で示したものである。
【図１０】図６（Ｂ）に示す三角形の反射板を取りつけた三角形の横棒を枠板と共に面状発熱ユニットの上部に置いたときに、表面保護シートから放射される遠赤外線の進む方向を矢印で示したものである。
【図１１】面状発熱ユニットにその全体を包囲する穴あき袋を被せた本考案の実施形態３の暖房器具を示す図である。
【図１２】図２に示す複数の面状発熱ユニットを衝立の支持枠内に複数個並べ、面状発熱体ユニットの全枠板で形成された面の上に格子状表面保護枠を取りつけた本考案の実施形態４の暖房器具を示す図である。
【図１３】支持枠で囲まれた範囲に図２に示す面状発熱ユニットを複数個並べ、その上からすだれ状表面保護枠を取りつけた本考案の実施形態５の暖房器具を示す図である。
【図１４】支持枠で囲まれた範囲に図２に示す面状発熱ユニット３を複数個並べた本考案の実施形態６の暖房器具を示す図である。
【図１５】ベンチの背面、座面、足のふくらはぎに面した面に面状発熱ユニット３を複数個並べた本考案の実施形態７の暖房器具を示す図である。
【図１６】サウナ内のベンチ背面、足のふくらはぎに面した縦面、およびサウナ室の側面壁に前記面状発熱ユニット３を複数個並べた本考案の実施形態８の暖房器具を示す図である。
【図１７】机の引き出しを支える下板の下面に面状発熱ユニットを１個または複数個並べた本考案の実施形態９の暖房器具を示す図である。
【図１８】図４に示される面状発熱ユニットを机の下の床面に置いた本考案の実施形態１０の暖房器具を示す図である。
【図１９】特許文献１に開示された面状発熱体を示す図である。
【図２０】従来の網状基材に導電性溶液を塗布したときの拡大図である。
【符号の説明】
【００６７】
１  面状発熱ユニット
２  面状発熱ユニット
３  面状発熱ユニット
５  穴あき袋
６  衝立
７  衝立
８  ベンチ
９  サウナ
１０  膝ヒータ
１１  足置きヒータ
１２  引き出し
１３  下板
１８  反射板
１９  断熱材
２０  表面保護枠
２１  表面保護シート
２２  面状発熱体
２３  底板
２４  枠板
２５  枠板
２６  横棒
２７  空間
２８  反射板
２９  枠板
３０  格子状表面保護枠
３１  支持枠
３２  足
３３  穴あきカバー
３４  すだれ状表面保護枠
３５  開閉紐
３６  穴
３７  遠赤外線
３８  背面
３９  足のふくらはぎに面した縦面
４０  側面壁
４１  ベンチ座面
４２  床面
【図１】
0003137885.tif 000003
【図２】
0003137885.tif 000004
【図３】
0003137885.tif 000005
【図４】
0003137885.tif 000006
【図５】
0003137885.tif 000007
【図６】
0003137885.tif 000008
【図７】
0003137885.tif 000009
【図８】
0003137885.tif 000010
【図９】
0003137885.tif 000011
【図１０】
0003137885.tif 000012
【図１１】
0003137885.tif 000013
【図１２】
0003137885.tif 000014
【図１３】
0003137885.tif 000015
【図１４】
0003137885.tif 000016
【図１５】
0003137885.tif 000017
【図１６】
0003137885.tif 000018
【図１７】
0003137885.tif 000019
【図１８】
0003137885.tif 000020
【図１９】
0003137885.tif 000021
【図２０】
0003137885.tif 000022